(57)【要約】【課題】肩部を押し潰すことができて、内容物を絞り出しやすく、また、押し潰した肩部が自然に元の形状に戻る可撓性容器とキャップ付き容器を提供する。【解決手段】胴部と、肩部と、胴部より細い口部とを有し、口部の先端の開口部より内容物を押出す可撓性容器であって、肩部の上部には、下方に向かって広がる傾斜部を有し、傾斜部の下方に雄螺子が設けられた雄螺子部を有し、雄螺子部の下方に周方向にリング状の裾溝が設けられている。また、この可撓性容器とキャップからなるキャップ付き容器とする。【選択図】図３
2014019461.tif 000002
【特許請求の範囲】
【請求項１】
胴部と、肩部と、胴部より細い口部とを有し、該口部の先端の開口部より内容物を押出す可撓性容器であって、
前記肩部の上部には、下方に向かって広がる傾斜部を有し、該傾斜部の下方に雄螺子が設けられた雄螺子部を有し、該雄螺子部の下方に周方向にリング状の裾溝が設けられていることを特徴とする可撓性容器。
【請求項２】
請求項１に記載の可撓性容器と、前記雄螺子と螺合する雌螺子を有するキャップからなるキャップ付き容器であって、
前記口部の下部に、周方向にリング状のロック溝が設けられ、前記キャップの内側に、周方向にリング状のキャップリブが設けられ、且つ、前記キャップには、内側の上面から下方に突出したコンタクトリングが、前記開口部周縁に接するように設けられ、前記キャップリブが前記ロック溝に嵌合することによって、前記コンタクトリングが前記開口部周縁に押し付けられるように接することを特徴とするキャップ付き容器。
【請求項３】
前記口部の先端の開口部が蓋材で閉鎖され、該蓋材の封緘部をタブが取り囲み、該タブの外縁形状が、角を丸くした正多角形状であり、前記タブが、前記キャップリブと前記ロック溝の間に挟まれていることを特徴とする請求項２に記載のキャップ付き容器。
【請求項４】
前記蓋材が、樹脂フィルム層とシール層が積層された層構成からなり、前記樹脂フィルム層が、ポリエステル系樹脂、あるいは、ポリアミド系樹脂からなる２軸延伸フィルムであることを特徴とする請求項３に記載のキャップ付き容器。
【発明の詳細な説明】
【技術分野】
【０００１】
本発明は、可撓性容器とキャップ付き容器に関するものである。
【背景技術】
【０００２】
従来から、マヨネーズ、ケチャップ、練りからし、練り歯磨きなどの、比較的粘度の高い内容物であるペースト状や粘稠性を有する食品または非食品は、ブロー成形チューブや、下端部を扁平状に折り返して封鎖したチューブ容器などの、容器を押して内容物を絞り出す可撓性容器に充填され使用されている。
【０００３】
上述のような比較的粘度の高い内容物は、可撓性容器より絞り出して用いるが、内容物が残り少なくなってくると、最後まで出し切ることはできない。特に、一般的に肩部は押し潰しにくく、この部分の内側に残った内容物を絞り出すことは、なかなか容易ではなかった。
【０００４】
容器を押し潰すものとして、廃棄のために押し潰して減容化するものがある。この容器は、胴部の上部に、細溝状に成形された横溝を周設し、この横溝から上方の胴部上端部分の高さを、押し潰し方向に沿った胴部上端部径の略１／２にし、この胴部上端部分に、押し潰し方向に対して下り勾配の傾斜溝を前後左右対称に設け、横溝から下方の胴部主体部分の、押し潰し方向に対する両側端部に、縦溝を設けたものである（特許文献１）。
【０００５】
また、口頸部を押潰し変形させ易くして、口頸部や口頸部の近傍の部分に残された内容物を容易に吐出させることのできる可撓性容器として、口頸部の外周面に設けられた雄ネジで、雄ネジの凸条部が欠けた間欠部が口頸部の軸方向に並んで配置され、且つ、間欠部が口頸部の周方向で対向する位置に設けられている可撓性容器がある。この可撓性容器には、さらに、口頸部又は前記口頸部の近傍部分から下方に向かって延びる陥没誘導線が設けられている（特許文献２）。
【０００６】
公知文献を以下に示す。
【先行技術文献】
【特許文献】
【０００７】
【特許文献１】特開２００１−２１９９４８号公報
【特許文献２】特開２００８−２１３８８３号公報
【発明の概要】
【発明が解決しようとする課題】
【０００８】
上記特許文献１の容器では、胴部を押し潰すことは出来ても、肩部が潰れることがなく、この部分の内容物は出すことができない。また、特許文献２の可撓性容器では、押し潰すことは出来ても元に戻らず、再度、キャップをして保存することが難しい。
【０００９】
本発明は上記した事情に鑑みてなされたもので、肩部を押し潰すことができて、内容物を絞り出しやすく、また、押し潰した肩部が自然に元の形状に戻る可撓性容器とキャップ付き容器を提供することを課題としている。
【課題を解決するための手段】
【００１０】
本発明の請求項１に係る発明は、胴部と、肩部と、胴部より細い口部とを有し、該口部の先端の開口部より内容物を押出す可撓性容器であって、
前記肩部の上部には、下方に向かって広がる傾斜部を有し、該傾斜部の下方に雄螺子が設けられた雄螺子部を有し、該雄螺子部の下方に周方向にリング状の裾溝が設けられていることを特徴とする可撓性容器である。
【００１１】
本発明の可撓性容器は、肩部の上部には、下方に向かって広がる傾斜部を有し、広がった該傾斜部の下方に雄螺子部を有しているので、雄螺子部が太く、胴部の太さに近いので、肩部の雄螺子部を簡単に指などで押し潰すことが出来、内容物を絞り出しやすい。また、該雄螺子部の下方に周方向にリング状の裾溝が設けられているので、押し潰すのをやめて、指などを離すと、押し潰した肩部が自然に元の形状に戻ることができる。
【００１２】
本発明の請求項２に係る発明は、請求項１に記載の可撓性容器と、前記雄螺子と螺合する雌螺子を有するキャップからなるキャップ付き容器であって、
前記口部の下部に、周方向にリング状のロック溝が設けられ、前記キャップの内側に、周方向にリング状のキャップリブが設けられ、且つ、前記キャップには、内側の上面から下方に突出したコンタクトリングが、前記開口部周縁に接するように設けられ、前記キャップリブが前記ロック溝に嵌合することによって、前記コンタクトリングが前記開口部周縁に押し付けられるように接することを特徴とするキャップ付き容器である。
【００１３】
本発明のキャップ付き容器は、口部の下部に、周方向にリング状のロック溝が設けられ、前記キャップの内側に、周方向にリング状のキャップリブが設けられ、嵌合するので、嵌合した感触がしっかり得られる。また、閉栓後の螺子の緩みを防止できる。
【００１４】
さらに、キャップリブが前記ロック溝に嵌合することによって、前記コンタクトリングが前記開口部の周囲の面に押し付けられるように接し、キャップリブとコンタクトリングで、口部の上端部分を上下で挟み込むことになり、開口部がコンタクトリングでしっかりと密着される。また、蓋材を外した後でも、密閉性を確保することができる。
【００１５】
本発明の請求項３に係る発明は、前記口部の先端の開口部が蓋材で閉鎖され、該蓋材の封緘部をタブが取り囲み、該タブの外縁形状が、角を丸くした正多角形状であり、前記タブが、前記キャップリブと前記ロック溝の間に挟まれていることを特徴とする請求項２に記載のキャップ付き容器である。
【００１６】
本発明のキャップ付き容器は、蓋材のタブの外縁形状が、角を丸くした正多角形状であり、前記タブが、前記キャップリブと前記ロック溝の間に挟まれているので、タブが掴みやすく、また、可撓性容器にキャップを取り付ける、キャッピングの際に、蓋材が破れたり、外れたりすることがない。
【００１７】
本発明の請求項４に係る発明は、前記蓋材が、樹脂フィルム層とシール層が積層された層構成からなり、前記樹脂フィルム層が、ポリエステル系樹脂、あるいは、ポリアミド系樹脂からなる２軸延伸フィルムであることを特徴とする請求項３に記載のキャップ付き容器である。
【００１８】
本発明のキャップ付き容器は、蓋材が、樹脂フィルム層とバリア層とシール層が、順次積層された層構成からなり、樹脂フィルム層が、ポリエステル系樹脂、あるいは、ポリアミド系樹脂からなる２軸延伸フィルムであるので、腰があり、キャップを取ったときに、タブが可撓性容器から浮いて摘まみやすく、容易に蓋材を剥がすことができる。
【発明の効果】
【００１９】
本発明の可撓性容器、および、この可撓性容器とキャップからなるキャップ付き容器は、肩部を簡単に指などで押し潰すことができて、内容物を絞り出しやすく、また、押し潰すのをやめて、指などを離すだけで、押し潰した肩部が自然に元の形状に戻ることができる。これにより再度キャップをするときに問題が生じることがない。
【図面の簡単な説明】
【００２０】
【図１】本発明の可撓性容器の一例を模式的に正面で示した説明図である。
【図２】本発明のキャップ付き容器の一例に用いるキャップを左半分は正面で示し、右半分は断面で示した説明図である。
【図３】本発明のキャップ付き容器のキャップの一例の上部を部分拡大し、可撓性容器を模式的に正面で示し、右半分にはキャップと蓋材の断面を模式的に示した説明図である。
【図４】本発明のキャップ付き容器の一例に用いる蓋材を模式的に平面で示した説明図である。
【発明を実施するための形態】
【００２１】
以下本発明を実施するための形態につき説明する。
【００２２】
図１は、本発明の可撓性容器の一例を模式的に正面で示した説明図、図２は、本発明のキャップ付き容器の一例に用いるキャップを左半分は正面で示し、右半分は断面で示した説明図、図３は、本発明のキャップ付き容器のキャップの一例の上部を部分拡大し、可撓性容器を模式的に正面で示し、右半分にはキャップと蓋材の断面を模式的に示した説明図、図４は、本発明のキャップ付き容器の一例に用いる蓋材を模式的に平面で示した説明図である。
【００２３】
本例の可撓性容器１００は、図１、図３のように、口部１と、肩部２と、胴部３とからなっていて、口部１は胴部３より細くなっている。また、口部１の先端に設けられた開口部１０より内容物を押出すようになっている。
【００２４】
口部１には、開口部１０の下の近傍に、周方向にリング状のロック溝１１が設けられている。そして、口部１の下に肩部２が設けられている。
【００２５】
肩部２の上部には、下方に向かって広がる傾斜部１２が設けられ、傾斜部１２の下方に雄螺子部１３が設けられ、雄螺子部１３に雄螺子１４が設けられている。また、雄螺子部１３の下方に周方向にリング状の裾溝１５が設けられている。そして、裾溝１５の下方に胴部３が接続している。
【００２６】
可撓性容器１００を構成する材質は、ポリエチレン、ポリプロピレン等のポリオレフィン系樹脂や、ポリアミド（ナイロン）系樹脂、あるいは、ポリエチレンテレフタレートやポリエチレンナフタレート等の熱可塑性ポリエスエル系樹脂などの熱可塑性樹脂を使用することができる。
【００２７】
またバリア性が必要な場合は、中間層にエチレン／ビニルアルコール共重合体や、メタキシレンジアミン/アジピン酸からなるいわゆるＭＸＤナイロンなどのバリア性樹脂を用いた多層容器とすることができる。また、成形方法としては、ブロー成形法が好ましく用いられる。
【００２８】
以上のように、本例の可撓性容器１００は、肩部２の上部に、下方に向かって広がる傾斜部１２を有し、広がった傾斜部１２の下方に雄螺子部１３を有しているので、雄螺子部１３が太く、胴部３の太さに近くすることができるので、肩部２の雄螺子部１３を簡単に指などで押し潰すことが出来、内容物を絞り出しやすい。また、雄螺子部１３の下方に周方向にリング状の裾溝１５が設けられているので、押し潰すのをやめて、指などを離すと、押し潰した肩部２が元の形状に戻ることができる。
【００２９】
キャップ２００には、図２あるいは図３のように、キャップ２００の内側上面の天面板２１から下方に突出したコンタクトリング２２が設けられ、キャップ２００を可撓性容器１００に嵌めたときに、コンタクトリング２２が開口部１０の周縁に接するように設けられ、コンタクトリング２２とその内側の天面板２１で開口部１０を閉鎖するようになっている。
【００３０】
さらに、キャップ２００の内側には、コンタクトリング２２を囲むように、上面の天面板２１から下方に突出した内側壁２３が設けられ、内側壁２３の内面側に、内方に突出する周方向にリング状のキャップリブ２４が設けられている。
【００３１】
このキャップリブ２４は、可撓性容器１００の口部１に設けられた周方向にリング状に凹んだロック溝１１と、嵌合するようになっていて、螺合する際の回り止めになっている。また、この嵌合により、廻した手に嵌合した感覚が得られる。
【００３２】
キャップリブ２４の下方には、雌螺子２５が設けられている。この雌螺子２５と雄螺子１４が螺合して、可撓性容器１００にキャップ２００が取り付けられる。
【００３３】
このように、口部１にロック溝１１が設けられていて、リング状のキャップリブ２４と嵌合するので、嵌合した感触がしっかり得られる。また、閉栓後の螺子の緩みを防止できる。
【００３４】
さらに、キャップリブ２４がロック溝１１に嵌合することによって、コンタクトリング２２が開口部１０の周囲の面に押し付けられるように接し、キャップリブ２４とコンタクトリング２２で、口部１の上端部分を上下で挟み込むことになり、開口部１０がコンタクトリング２２でしっかりと密着される。また、蓋材を外した後でも、密閉性を確保することができる。
【００３５】
キャップ２００の材質としては、通常の熱可塑性樹脂が使用可能であり、ポリエチレン、ポリプロピレン等のポリオレフィン系樹脂や、ポリエチレンテレフタレート等のポリエステル系樹脂、ナイロン等のポリアミド系樹脂等が使用可能である。また、キャップ２００の成形方法としては、通常の射出成形法が用いられる。
【００３６】
以上のように、ロック溝１１が口部１の先端の開口部１０の近傍に設けられていて、キャップ２００に設けられたキャップリブ２４と嵌合するようになっているので、キャップ２００を口部１に嵌めたときに嵌合した感触がしっかり得られる。また、キャップ２００と口部１の開口部１０とがしっかり密着される。
【００３７】
蓋材３００は、図３のように、可撓性容器１００の口部１の開口部１０を塞ぐように取り付けられ、開口部１０が蓋材３００で閉鎖されている。また、蓋材３００は、図４のように、口部１の先端の開口部１０の周囲にシールされて可撓性容器１００の開口部１０を閉鎖する円形の閉鎖部３１と、タブ３２からなり、タブ３２の外縁形状は、角を丸くした正三角形状であり、図３のように、タブ３２が、キャップリブ２４とロック溝１１の間に挟まれている。
【００３８】
本例の蓋材３００のタブ３２の外縁形状は、角を丸くした正三角形状であるが、これに限ることはなく、角を丸くした正多角形状であれば良い。特に角の数は３から６が好ましく、角の数が３の角を丸くした正三角形状が指で掴みやすく最も好ましい。
【００３９】
そして、少なくとも、タブ３２の丸くした角の部分がキャップリブ２４の設けられた内
側壁２３の下端より、外方向に飛び出すようになっていることが好ましい。このようにすることによって、飛び出した角の部分を設けることによって、蓋材３００を大きくすることができ、指で摘まみやすい。
【００４０】
蓋材３００は、樹脂フィルム層とシール層が積層された層構成からなり、この樹脂フィルム層の腰を利用してタブ３２を浮かせて、指で摘まみ易くしている。樹脂フィルム層としては、２軸延伸フィルムが好ましく使用することができる。特に、ポリエチレンテレフタレート等のポリエステル系樹脂、あるいは、ナイロン等のポリアミド系樹脂からなる２軸延伸フィルムが腰もあり、耐熱性もあるので、好ましく用いることができる。
【００４１】
また、必要に応じて、バリア層を設けることができる。バリア層としてはアルミニウム箔を使用することができる。アルミニウム箔は、バリア層としての機能を有しており、さらには、高周波により発熱する機能を利用して、高周波シールにて溶着することも可能である。
【００４２】
また、バリア層として、金属、あるいは、無機酸化物の蒸着層を設けても良い。樹脂フィルム層のフィルムに、この蒸着層を蒸着して設けた蒸着フィルムを、樹脂フィルム層とバリア層として用いてもよい。
【００４３】
シール層には、可撓性容器１００の開口部１０の周囲にシールするので、可撓性容器１００と融着可能な熱溶融性の樹脂が用いられる。たとえば、可撓性容器１００が低密度ポリエチレンや、直鎖状低密度ポリエチレンで出来ている場合は、シール層にもポリエチレンを用いることができる。
【００４４】
シール層には、可撓性容器１００の開口部１０にシールするので、可撓性容器１００に融着可能な熱溶融性の樹脂が用いられる。たとえば、可撓性容器１００が低密度ポリエチレンや、直鎖状低密度ポリエチレンで出来ている場合は、シール層にもポリエチレンを用いることができる。
【００４５】
以上のように、本発明の可撓性容器は、肩部の雄螺子部を簡単に指などで押し潰すことが出来、内容物を絞り出しやすい。また、押し潰すのをやめて、指などを離すと、自然に押し潰した肩部が元の形状に戻ることができる。
【００４６】
そして、本発明のキャップ付き容器は、嵌合した感触がしっかり得られ、閉栓後の螺子の緩みを防止できる。
【００４７】
さらに、キャップリブがロック溝に嵌合することによって、コンタクトリングが開口部の周囲の面に押し付けられるように接し、キャップリブとコンタクトリングで、口部の上端部分を上下で挟み込むことになり、開口部がコンタクトリングでしっかりと密着される。また、蓋材を外した後でも、密閉性を確保することができる。
【００４８】
また、蓋材のタブの外縁形状が、角を丸くした正多角形状であるので、タブが掴みやすく、また、可撓性容器にキャップを取り付けるキャッピングの際に、蓋材が破れたり、外れたりすることがない。
【００４９】
そして、蓋材が樹脂フィルム層とバリア層とシール層が、順次積層された層構成からなり、樹脂フィルム層が、ポリエステル系樹脂、あるいは、ポリアミド系樹脂からなる２軸延伸フィルムであるので、腰があり、キャップを取ったときに、タブが可撓性容器から浮いて摘まみやすく、容易に蓋材を剥がすことができる。
【００５０】
本発明の可撓性容器、および、キャップ付き容器は、香辛料などの粘性物用の、押し潰して内容物を絞りだすことができ、自然に元の形状に戻る、開口部を細く絞ったブローチューブなどに使用することができる。また、このような、開口部が小口径の可撓性容器に、大きなタグの蓋材を取り付けて、タグを掴みやすくするのに利用することができる。また、バリア性の必要な用途向けの容器として、さらに、ロックアップしてしっかり閉める必要のある容器として使用することができる。
【符号の説明】
【００５１】
１００・・・可撓性容器
１・・・口部
２・・・肩部
３・・・胴部
１０・・・開口部
１１・・・ロック溝
１２・・・傾斜部
１３・・・雄螺子部
１４・・・雄螺子
１５・・・裾溝
２００・・・キャップ
２１・・・天面板
２２・・・コンタクトリング
２３・・・内側壁
２４・・・キャップリブ
２５・・・雌螺子
３００・・・蓋材
３１・・・閉鎖部
３２・・・タブ
【図１】
2014019461.tif 000003
【図２】
2014019461.tif 000004
【図３】
2014019461.tif 000005
【図４】
2014019461.tif 000006